(57)【要約】【課題】  取付作業性を向上させ、覆い切れない部分が部分的に発生することを防止し、取付後に不用意に回転してしまうことを防止することが可能なマグネットスイッチ用カバーとマグネットスイッチ保護構造を提供すること。【解決手段】  スタータに装着されたマグネットスイッチの一端面において夫々導出されモールドキャップによって固着されたメイン端子及びコネクティング端子の内メイン端子を収納するとともにメイン端子にバッテリケーブルを接続するためのターミナルの基板部を収納するターミナル収容部と、ターミナル収容部に連設されターミナルの端子接続部を収納する端子接続部収納筒部と、ターミナル収容部に設けられモールドキャップ側に設けられメイン端子とコネクティング端子との間を区画するための絶縁リブとの干渉を避けるための開口部と、を具備したもの。【選択図】  図１
2008106686.tif 000002
【特許請求の範囲】
【請求項１】
スタータに装着されたマグネットスイッチの一端面において夫々導出されモールドキャップによって固着されたメイン端子及びコネクティング端子の内上記メイン端子を収納するとともに上記メイン端子にバッテリケーブルを接続するためのターミナルの基板部を収納するターミナル収容部と、
上記ターミナル収容部に連設され上記ターミナルの端子接続部を収納する端子接続部収納筒部と、
上記ターミナル収容部に設けられ上記モールドキャップ側に設けられ上記メイン端子とコネクティング端子との間を区画するための絶縁リブとの干渉を避けるための開口部と、
を具備したことを特徴とするマグネットスイッチ用カバー。
【請求項２】
請求項１記載のマグネットスイッチ用カバーにおいて、
上開口部の基部側であって内側には上記絶縁リブの内壁面に対して摺接する壁部が設けられていることを特徴とするマグネットスイッチ用カバー。
【請求項３】
請求項１記載のマグネットスイッチ用カバーにおいて、
上記ターミナル収容部の内側にはターミナルの基板部に当接する位置決め部が設けられていることを特徴とするマグネットスイッチ用カバー。
【請求項４】
請求項３記載のマグネットスイッチ用カバーにおいて、
上記位置決め部は上記ターミナル収容部の両内壁に設けられ上記ターミナルの基板部の両側部に摺接する一対の突起から構成されていることを特徴とするマグネットスイッチ用カバー。
【請求項５】
スタータに装着されたマグネットスイッチの一端面において夫々導出されモールドキャップによって固着されたメイン端子及びコネクティング端子と、
上記メイン端子にターミナルを介して接続されたバッテリケーブルと、
上記メイン端子とターミナル及びバッテリケーブルの端部を覆うマグネットスイッチ用カバーと、を具備したマグネットスイッチ保護構造において、
上記モールドキャップは上記メイン端子とコネクティング端子を区画するための絶縁リブを備えていて、
上記ターミナルは上記メイン端子が挿通される貫通穴を備えた基板部と、上記バッテリケーブルを固着するための端子接続部と、を備え、
上記マグネットスイッチ用カバーは、上記ターミナルの基板部と上記メイン端子とを収納するターミナル収容部と、上記ターミナルの端子接続部を収納する端子接続部収納筒部と、前記絶縁リブとの干渉を避けるための開口部とを備えていることを特徴とするマグネットスイッチ保護構造。
【請求項６】
請求項５記載のマグネットスイッチ保護構造において、
上開口部の基部側であって内側には上記絶縁リブの内壁面に対して摺接する壁部が設けられていることを特徴とするマグネットスイッチ保護構造。
【請求項７】
請求項５記載のマグネットスイッチ保護構造において、
上記ターミナル収容部の内側にはターミナルの基板部に当接する位置決め部が設けられていることを特徴とするマグネットスイッチ保護構造。
【請求項８】
請求項７記載のマグネットスイッチ保護構造において、
上記位置決め部は上記ターミナル収容部の両内壁に設けられ上記ターミナルの基板部の両側部に摺接する一対の突起から構成されていることを特徴とするマグネットスイッチ保護構造。
【発明の詳細な説明】
【技術分野】
【０００１】
本発明はマグネットスイッチ用カバーとマグネットスイッチ保護構造に係り、特に、取付作業性を向上させ、覆われることのない部位が部分的に発生することを防止し、取付後に不用意に外れたり回転してしまうようなことを防止することができるように工夫したものに関する。
【背景技術】
【０００２】
例えば、エンジンを始動するためのスタータにはマグネットスイッチが装着されている。この種のマグネットスイッチの一端面にはメイン端子とコネクティング端子が夫々導出されている。これらメイン端子とコネクティング端子はモールドキャップで固着されている。上記メイン端子には板状のターミナルを介してバッテリケーブルが接続されている。又、上記メイン端子とターミナル及びバッテリケーブルの端部はカバーによって覆われている。
【０００３】
上記マグネットスイッチ及びその近傍の構成の一例を、図１４乃至図１９を参照して説明する。まず、図１４、図１５に示すように、エンジンを始動するためのスタータ２０１がある。このスタータ２０１にはマグネットスイッチ２０３が取り付けられている。上記マグネットスイッチ２０３の一端面にはメイン端子２０５とコネクティング端子２０７が夫々導出されている。これらメイン端子２０５とコネクティング端子２０７はモールドキャップ２０９によって固着されている。又、図１７に示すように、上記メイン端子２０５にはターミナル２１１を介してバッテリケーブル２１３が接続されている。又、上記バッテリケーブル２１３の端部、すなわち、メイン端子２０５はマグネットスイッチ用カバー２１５によって覆われている。これはメイン端子２０５には常時電圧が掛かっているために、メイン端子２０５に対する水掛かりや不用意な接触を防止する必要があるからである。
【０００４】
又、上記モールドキャップ２０９には、図１４及び図１７に示すように、メイン端子２０５とコネクティング端子２０７との間を区画するための絶縁リブ２１７が突出・形成されている。
【０００５】
尚、この種のマグネットスイッチの構成を開示するものとして、例えば、特許文献１、特許文献２等がある。
【０００６】
【特許文献１】特開２００２−２４２８０２号公報
【特許文献２】特開２００３−１３９０２５号公報
【発明の開示】
【発明が解決しようとする課題】
【０００７】
上記従来の構成によると次のような問題があった。
まず、メイン端子２０５とマグネットスイッチ用カバー２１５の形状が合致していないために、マグネットスイッチ用カバー２１５のメイン端子２０５側に対する取付作業の作業性が悪いという問題があった。具体的には、マグネットスイッチ用カバー２１５を取り付ける際に、マグネットスイッチ用カバー２１５が絶縁リブ２１７に引っ掛かってしまい、それが大きく原因して取付作業の作業性が悪化してしまうものである。
又、マグネットスイッチ用カバー２１５によってメイン端子２０５を覆った場合に、一部覆いきれない部分が出てしまうという問題があった。すなわち、メイン端子２０５とマグネットスイッチ用カバー２１５の形状が合致していないために、マグネットスイッチ用カバー２１５を取り付けた際に、図１５、図１９に示すように、ターミナル２１１とマグネットスイッチ用カバー２１５との間に隙間Ｓが生じてしまい、ターミナル２１１の側面を覆うことができなくなってしまうものである。
さらに、メイン端子２０５とマグネットスイッチ用カバー２１７の形状が合致していないため、取付後にマグネットスイッチ用カバー２１７が不用意に回転してしまうという問題があった。
【０００８】
本発明はこのような点に基づいてなされたものでその目的とするところは、取付作業の作業性を向上させ、覆い切れない部位が部分的に発生することを防止し、取付後に不用意に回転してしまうことを防止することが可能なマグネットスイッチ用カバーとマグネットスイッチ保護構造を提供することにある。
【課題を解決するための手段】
【０００９】
上記目的を達成するべく本願発明の請求項１によるマグネットスイッチ用カバーは、スタータに装着されたマグネットスイッチの一端面において夫々導出されモールドキャップによって固着されたメイン端子及びコネクティング端子の内上記メイン端子を収納するとともに上記メイン端子にバッテリケーブルを接続するためのターミナルの基板部を収納するターミナル収容部と、上記ターミナル収容部に連設され上記ターミナルの端子接続部を収納する端子接続部収納筒部と、上記ターミナル収容部に設けられ上記モールドキャップ側に設けられ上記メイン端子とコネクティング端子との間を区画するための絶縁リブとの干渉を避けるための開口部と、を具備したことを特徴とするものである。
又、請求項２によるマグネットスイッチ用カバーは、請求項１記載のマグネットスイッチ用カバーにおいて、上開口部の基部側であって内側には上記絶縁リブの内壁面に対して摺接する壁部が設けられていることを特徴とするものである。
又、請求項３によるマグネットスイッチ用カバーは、請求項１記載のマグネットスイッチ用カバーにおいて、上記ターミナル収容部の内側にはターミナルの基板部に当接する位置決め部が設けられていることを特徴とするものである。
又、請求項４によるマグネットスイッチ用カバーは、請求項３記載のマグネットスイッチ用カバーにおいて、上記位置決め部は上記ターミナル収容部の両内壁に設けられ上記ターミナルの基板部の両側部に摺接する一対の突起から構成されていることを特徴とするものである。
又、請求項５によるマグネットスイッチ保護構造は、スタータに装着されたマグネットスイッチの一端面において夫々導出されモールドキャップによって固着されたメイン端子及びコネクティング端子と、上記メイン端子にターミナルを介して接続されたバッテリケーブルと、上記メイン端子とターミナル及びバッテリケーブルの端部を覆うマグネットスイッチ用カバーと、を具備したマグネットスイッチ保護構造において、上記モールドキャップは上記メイン端子とコネクティング端子を区画するための絶縁リブを備えていて、上記ターミナルは上記メイン端子が挿通される貫通穴を備えた基板部と、上記バッテリケーブルを固着するための端子接続部と、を備え、上記マグネットスイッチ用カバーは、上記ターミナルの基板部と上記メイン端子とを収納するターミナル収容部と、上記ターミナルの端子接続部を収納する端子接続部収納筒部と、前記絶縁リブとの干渉を避けるための開口部とを備えていることを特徴とするものである。
又、請求項６によるマグネットスイッチ保護構造は、請求項５記載のマグネットスイッチ保護構造において、上開口部の基部側であって内側には上記絶縁リブの内壁面に対して摺接する壁部が設けられていることを特徴とするものである。
又、請求項７によるマグネットスイッチ保護構造は、請求項５記載のマグネットスイッチ保護構造において、上記ターミナル収容部の内側にはターミナルの基板部に当接する位置決め部が設けられていることを特徴とするものである。
又、請求項８によるマグネットスイッチ保護構造は、請求項７記載のマグネットスイッチ保護構造において、上記位置決め部は上記ターミナル収容部の両内壁に設けられ上記ターミナルの基板部の両側部に摺接する一対の突起から構成されていることを特徴とするものである。
【発明の効果】
【００１０】
以上述べたように本発明の請求項１によるマグネットスイッチ用カバーによると、スタータに装着されたマグネットスイッチの一端面において夫々導出されモールドキャップによって固着されたメイン端子及びコネクティング端子の内上記メイン端子を収納するとともに上記メイン端子にバッテリケーブルを接続するためのターミナルの基板部を収納するターミナル収容部と、上記ターミナル収容部に連設され上記ターミナルの端子接続部を収納する端子接続部収納筒部と、上記ターミナル収容部に設けられ上記モールドキャップ側に設けられ上記メイン端子とコネクティング端子との間を区画するための絶縁リブとの干渉を避けるための開口部と、を具備した構成になっているので、開口部によって絶縁リブとの干渉を防止しつつ部分的に覆われることがないような部位の発生をなくすことができ、且つ、取付後の不用意な回転をなくすことができる。
又、請求項２によるマグネットスイッチ用カバーは、請求項１記載のマグネットスイッチ用カバーにおいて、上開口部の基部側であって内側には上記絶縁リブの内壁面に対して摺接する壁部が設けられているので、それによって、取付作業性をさらに向上させることができるとともに取付後の不用意な回転を確実になくすことができる。
又、請求項３によるマグネットスイッチ用カバーは、請求項１記載のマグネットスイッチ用カバーにおいて、上記ターミナル収容部の内側にはターミナルの基板部に当接する位置決め部が設けられているので、マグネットスイッチ用カバーとターミナルとの間の相互の位置決めが容易になされるものである。
又、請求項４によるマグネットスイッチ用カバーは、請求項３記載のマグネットスイッチ用カバーにおいて、上記位置決め部は上記ターミナル収容部の両内壁に設けられ上記ターミナルの基板部の両側部に摺接する一対の突起から構成されているので、上記効果をより確実なものとすることができる。
又、請求項５乃至請求項８はマグネットスイッチ保護構造としてクレームしたものである。
【発明を実施するための最良の形態】
【００１１】
以下、図１乃至図１３を参照して本発明の一実施の形態を説明する。まず、スタータ１があり、このスタータ１は図６に示すスタータケース３内に収容・配置されている。上記スタータにはマグネットスイッチ５が取り付けられている。上記マグネットスイッチ５の一端面にはメイン端子７とコネクティング端子９が夫々導出されている。上記メイン端子７とコネクティング端子９はモールドキャップ１１によって固着されている。又、上記メイン端子７には板状に形成されたターミナル１３を介してバッテリケーブル１５が接続されている。又、上記メイン端子７及びターミナル１３はマグネットスイッチ用カバー１７によって覆われている。
【００１２】
上記モールドキャップ１１にはメイン端子７とコネクティング端子９との間を区画するための絶縁リブ１９が設けられている。又、上記ターミナル１３は、図８に示すように、メイン端子５が挿通される穴部２１を穿設した基板部２３と、バッテリケーブル１５を固着するための端子接続部２５とから構成されている。
【００１３】
又、上記マグネットスイッチ用カバー１７は、図１０及び図１１に示すように、ターミナル１３の基板部２３とメイン端子５とを収納するターミナル収容部２７と、ターミナル１３の端子接続部２５を収納する端子接続部収納筒部２９と、モールドキャップ１１側に設けられた絶縁リブ１９との干渉を防止するための開口部３１とから構成されている。又、図１１に示すように、上記開口部３１の基部側であって内周側には壁部３３が設けられている。この壁部３３と開口部３１の基部との間には段付部３５が形成されている。
【００１４】
上記壁部３３は取付時にその外壁面が上記絶縁リブ１９の内壁面に対して摺接することになり、それによって、取付作業の作業性の向上と密封性を高めるようにしているものである。
【００１５】
又、上記マグネットスイッチ用カバー１７のターミナル収容部２７の内側にはターミナル１３の基板部２３に当接する位置決め部としての一対の突起３７、３７が設けられている。これら一対の突起３７、３７によって、マグネットスイッチ用カバー１７とターミナル１３との間の相互の位置決めを行うものである。
【００１６】
以上の構成を基にその作用を説明する。
まず、メイン端子５及びその近傍をマグネットスイッチ用カバー１７によって覆う場合には、図１に示す如く、メイン端子５とコネクティング端子７をモールドキャップ１１によって固着し、メイン端子５に板状のターミナル１３を介してバッテリケーブル１５を接続する。
【００１７】
メイン端子５に板状のターミナル１３を介してバッテリケーブル１５を接続する場合には、ターミナル１３の基板部２３に穿設した穴部２１にメイン端子７を挿通させるとともに、ターミナル１３の断面Ｕ字形状に形成した端子接続部２５にバッテリケーブル１５を固着する。
【００１８】
そして、図１に示すように、バッテリケーブル１５をマグネットスイッチ用カバー１７の収納筒部２９に挿通させた状態でマグネットスイッチ用カバー１７をメイン端子５側に移動させる。そして、図９に示すように、メイン端子５とターミナル１３及びバッテリケーブル１５の端部を覆うようにマグネットスイッチ用カバー１７を取り付けるものである。
【００１９】
その際、マグネットスイッチ用カバー１７のターミナル収容部２７に設けられた位置決め部としての一対の突起３７、３７はターミナル１３の基板部２３の両側に当接することになる。それによって、マグネットスイッチ用カバー１７内のターミナル１３の相互の位置決めがなされることになる。
【００２０】
又、マグネットスイッチ用カバー１７の開口部３１は、マグネットスイッチ用カバー１７を取り付けた状態で、モールドキャップ１１の絶縁リブ１９に係合することになる。又、開口部３１の基部に設けられた壁部３３の外壁面が上記絶縁リブ１９の内壁面に摺接することになり、それによって、組立作業時における作業性が向上するとともに組立後のマグネットスイッチ用カバー１７の不用意な回転や離脱を防止することができる。
【００２１】
以上本実施の形態によると次のような効果を奏することができる。
まず、マグネットスイッチ用カバー１７をターミナル収容部２７と端子接続部収納筒部２９とから構成し、又、開口部３１を設けるとともにその基部に壁部３３を設けた構成としているので、開口部３１によって絶縁リブ１９との干渉を防止し、且つ、壁部３３の該壁面を絶縁リブ１９の内壁面に対して摺接させるようにして取り付けることができるので、組付性の向上を図ることができる。又、組立後のマグネットスイッチ用カバー１７の不用意な回転や離脱を防止することができる。
又、開口部３１は絶縁リブ１９に対して隙間なく嵌るような形状に形成されているので、覆われない部位が部分的に発生することを防止することができる。
又、ターミナル収容部２７の内側であって両側には位置決め部として突起３７、３７が設けられているので、マグネットスイッチ用カバー１７とターミナル１３の相互間の位置決めが容易に行われることになり、マグネットスイッチ用カバー１７の不用意な抜けや回転を防止することができる。
【００２２】
尚、本発明は前記一実施の形態に限定されるものではない。
まず、各部の形状、大きさ等についてはあくまで一例であり図示したものに限定されるものではない。
対象となるスタータ、マグネットスイッチ等の構成についてもこれを特に限定するものではない。
【産業上の利用可能性】
【００２３】
本発明はマグネットスイッチ用カバーとマグネットスイッチ保護構造に係り、特に、取付作業の作業性を向上させ、覆われることのない部位が部分的に発生することを防止し、取付後に不用意に外れたり回転してしまうようなことを防止することができるように工夫したものに関し、例えば、各種エンジンのスタータに取り付けられるマグネットスイッチ用カバーとマグネットスイッチ保護構造に好適である。
【図面の簡単な説明】
【００２４】
【図１】本発明の一実施の形態を示す図で、スタータに取り付けられたマグネットスイッチの一端面にマグネットスイッチ用カバーを取り付ける様子を示す分解斜視図である。
【図２】本発明の一実施の形態を示す図で、スタータに取り付けられたマグネットスイッチの一端面にマグネットスイッチ用カバーを取り付けた状態を示す正面図である。
【図３】本発明の一実施の形態を示す図で、スタータにマグネットスイッチを取り付けた状態を示す平面図である。
【図４】本発明の一実施の形態を示す図で、図３のＩＶ−ＩＶ矢視図である。
【図５】本発明の一実施の形態を示す図で、図３のＶ−Ｖ矢視図である。
【図６】本発明の一実施の形態を示す図で、スタータにマグネットスイッチを取り付けた状態を一部断面にして示す平面図である。
【図７】本発明の一実施の形態を示す図で、スタータに取り付けられたマグネットスイッチの一端面にターミナルを取り付けた状態を示す斜視図である。
【図８】本発明の一実施の形態を示す図で、ターミナルの構成を示す斜視図である。
【図９】本発明の一実施の形態を示す図で、スタータに取り付けられたマグネットスイッチの一端面にマグネットスイッチ用カバーを取り付けた状態を示す斜視図である。
【図１０】本発明の一実施の形態を示す図で、マグネットスイッチ用カバーの構成を示す斜視図である。
【図１１】本発明の一実施の形態を示す図で、マグネットスイッチ用カバーの構成を図１０とは反対側から示す斜視図である。
【図１２】本発明の一実施の形態を示す図で、図１２（ａ）はスタータに取り付けられたマグネットスイッチの一端面にマグネットスイッチ用カバーを取り付けた状態を示す正面図、図１２（ｂ）はスタータに取り付けられたマグネットスイッチの一端面にマグネットスイッチ用カバーを取り付けた状態を一部断面にして示す平面図、図１２（ｃ）はスタータに取り付けられたマグネットスイッチの一端面にマグネットスイッチ用カバーを取り付けた状態を示す側面図である。
【図１３】本発明の一実施の形態を示す図で、マグネットスイッチの一端面に取り付けられるモールドキャップの構成を示す斜視図である。
【図１４】従来例を示す図で、スタータに取り付けられたマグネットスイッチの一端面にマグネットスイッチ用カバーを取り付けた状態を示す斜視図である。
【図１５】従来例を示す図で、スタータに取り付けられたマグネットスイッチの一端面にマグネットスイッチ用カバーを取り付けた状態を示す正面図である。
【図１６】従来例を示す図で、図１６（ａ）はマグネットスイッチ用カバーの構成を示す斜視図、図１６（ｂ）はマグネットスイッチ用カバーの構成を反対側から示す斜視図である。
【図１７】従来例を示す図で、マグネットスイッチ用カバーとモールドキャップの段部を示す斜視図である。
【図１８】従来例を示す図で、ターミナルをマグネットスイッチ用カバーで覆った状態を示す斜視図である。
【図１９】従来例を示す図で、スタータに取り付けられたマグネットスイッチの一端面にマグネットスイッチ用カバーを取り付けた状態を示す正面図である。
【符号の説明】
【００２５】
１  スタータ
３  スタータケース
５  マグネットスイッチ
７  メイン端子
９  コネクティング端子
１１  モールドキャップ
１３  ターミナル
１５  バッテリケーブル
１７  マグネットスイッチ用カバー
１９  絶縁リブ
２１  貫通穴
２３  基板部
２５  端子接続部
２７  ターミナル収容部
２９  収納筒部
３１  開口部
３３  壁部
３５  段付部
３７  突起(位置決め部)  
【図１】
2008106686.tif 000003
【図２】
2008106686.tif 000004
【図３】
2008106686.tif 000005
【図４】
2008106686.tif 000006
【図５】
2008106686.tif 000007
【図６】
2008106686.tif 000008
【図７】
2008106686.tif 000009
【図８】
2008106686.tif 000010
【図９】
2008106686.tif 000011
【図１０】
2008106686.tif 000012
【図１１】
2008106686.tif 000013
【図１２】
2008106686.tif 000014
【図１３】
2008106686.tif 000015
【図１４】
2008106686.tif 000016
【図１５】
2008106686.tif 000017
【図１６】
2008106686.tif 000018
【図１７】
2008106686.tif 000019
【図１８】
2008106686.tif 000020
【図１９】
2008106686.tif 000021